(57)【要約】【課題】  方式の異なるテレビジョンシステムの中間周波信号のいずれが入力されても共用が可能なテレビジョン信号送信機を提供する。【解決手段】  テレビジョンシステムの中間周波信号を何れかのチャンネルのテレビジョン信号に周波数変換する周波数変換回路２５、３０を備え、周波数変換回路２５、３０の前段には方式の異なるテレビジョンシステムの中間周波信号の何れかが入力される第１のミキサ２２と、第１のミキサ２２と周波数変換回路２５、３０との間に介挿されたＡＧＣ回路２４とを設け、周波数が最も高い中間周波信号を周波数変換することなく第１のミキサ２２を介してＡＧＣ回路２４に入力し、それ以外の中間周波数信号を第１のミキサ２２によって周波数が最も高い中間周波信号とほぼ等しい周波数に変換してＡＧＣ回路２４に入力した。【選択図】        図１
2005311964.tif 000002
【特許請求の範囲】
【請求項１】
テレビジョンシステムの中間周波信号を何れかのチャンネルのテレビジョン信号に周波数変換する周波数変換回路を備え、前記周波数変換回路の前段には方式の異なる前記テレビジョンシステムの中間周波信号の何れかが入力される第１のミキサと、前記第１のミキサと前記周波数変換回路との間に介挿されたＡＧＣ回路とを設け、周波数が最も高い中間周波信号を周波数変換することなく前記第１のミキサを介して前記ＡＧＣ回路に入力し、それ以外の前記中間周波数信号を前記第１のミキサによって前記周波数が最も高い中間周波信号とほぼ等しい周波数に変換して前記ＡＧＣ回路に入力したことを特徴とするテレビジョン信号送信機。
【請求項２】
前記周波数変換回路に設けられた局部発振信号供給用の発振回路を制御するＰＬＬ回路と前記ＰＬＬ回路に基準信号を供給する基準発振回路とを設け、前記周波数が最も高い中間周波信号以外の中間周波数信号を前記第１のミキサによって周波数変換する場合にのみ前記基準信号をそのまま又は分周して前記第１のミキサに供給したことを特徴とする請求項１に記載のテレビジョン信号送信機。
【請求項３】
前記第１のミキサに入力される前記中間周波信号は日本又は米国のＮＴＳＣ方式の中間周波信号又は欧州のＰＡＬ方式の中間周波信号のいずれかであり、前記基準信号の周波数を２０ＭＨｚとし、前記米国のＮＴＳＣ方式の中間周波信号を前記第１のミキサに入力するときには前記基準信号を分周せずに前記第１のミキサに入力し、前記ＰＡＬ方式の中間周波信号を前記第１のミキサに入力するときには前記基準信号を１／２に分周して前記第１のミキサに入力したことを特徴とする請求項２に記載のテレビジョン信号送信機。
【発明の詳細な説明】
【技術分野】
【０００１】
本発明は、ＣＡＴＶ（ケーブルテレビ）システム等に使用されるテレビジョン信号送信機に関する。
【背景技術】
【０００２】
図２を参照して従来のテレビジョン信号送信機を説明する。映像信号及び音声信号を含む第一の中間周波信号は、減衰回路２を介して第一の混合回路３に入力され、この第一の混合回路３において、第一の局部発振回路４からの発振信号と混合されることによってほぼ１．１ＧＨｚの第二の中間周波信号に周波数変換される。第一の混合回路３と第一の局部発振回路４とによって第一の周波数変換回路５を構成している。なお、減衰回路２は、可変減衰回路で構成される。
【０００３】
第一の混合回路３からの第二の中間周波信号は、バンドパスフィルタ６を通過した後に第二中間周波増幅回路７で所定のレベルに増幅され、第二の混合回路８に入力され、この第二の混合回路８において第二の局部発振回路９からの発振信号と混合されて第三の中間周波信号に周波数変換される。第二の混合回路８と第二の局部発振回路９とによって第二段目の周波数変換回路である第二の周波数変換回路１０を構成している。
【０００４】
なお、第三の中間周波信号は、テレビジョン信号として図示しないケ−ブルを介してＣＡＴＶシステムの加入者に送信されるが、その周波数は、送信する番組毎に異なり、ほぼ５０ＭＨｚから１ＧＨｚまでの間に設定されている各チャンネルの周波数のいずれかに合わせるように第二の局部発振回路９の発振周波数が設定されている。そして、第二の混合回路８から出力される第三の中間周波信号は、第三中間周波増幅回路１１、１２で所定の利得を与えられた後バンドパスフィルタ１３、出力増幅回路１４を介して導出され、図示しない混合回路において、他のテレビジョン送信回路から同様に導出された第三の中間周波信号（テレビジョン信号）と混合されて図示しないケ−ブルに送られるようになっている（例えば、特許文献１参照。）。
【０００５】
【特許文献１】特開平１０−３０４２５７号公報（図１）
【０００６】
ここで、減衰回路２は、入力される第一の中間周波信号のレベルに関わらず一定レベルの出力信号が得られるように、出力信号の一部を検波する検波回路（図示せず）からの検波電圧によって減衰量が制御されるＡＧＣ回路で構成されている。
【発明の開示】
【発明が解決しようとする課題】
【０００７】
上記のＡＧＣ回路を設ける場合、音声中間周波信号の影響をなくすために音声中間周波帯を減衰するトラップ回路を通して第一の中間周波信号を検波するため、ＡＧＣ回路に入力される第一の中間周波信号がテレビジョン方式の違いによってその周波数が異なるとＡＧＣ回路の共通化が不可能となり、テレビジョンシステムが異なればそのシステムに対応したＡＧＣ回路を設ける必要があって、機種の統一化ができなかった。
【０００８】
本発明は、方式の異なるテレビジョンシステムの中間周波信号のいずれが入力されても共用が可能なテレビジョン信号送信機を提供することを目的とする。
【課題を解決するための手段】
【０００９】
上記の課題を解決するため、テレビジョンシステムの中間周波信号を何れかのチャンネルのテレビジョン信号に周波数変換する周波数変換回路を備え、前記周波数変換回路の前段には方式の異なる前記テレビジョンシステムの中間周波信号の何れかが入力される第１のミキサと、前記第１のミキサと前記周波数変換回路との間に介挿されたＡＧＣ回路とを設け、周波数が最も高い中間周波信号を周波数変換することなく前記第１のミキサを介して前記ＡＧＣ回路に入力し、それ以外の前記中間周波数信号を前記第１のミキサによって前記周波数が最も高い中間周波信号とほぼ等しい周波数に変換して前記ＡＧＣ回路に入力した。
【００１０】
また、前記周波数変換回路に設けられた局部発振信号供給用の発振回路を制御するＰＬＬ回路と前記ＰＬＬ回路に基準信号を供給する基準発振回路とを設け、前記周波数が最も高い中間周波信号以外の中間周波数信号を前記第１のミキサによって周波数変換する場合にのみ前記基準信号をそのまま又は分周して前記第１のミキサに供給した。
【００１１】
また、前記第１のミキサに入力される前記中間周波信号は日本又は米国のＮＴＳＣ方式の中間周波信号又は欧州のＰＡＬ方式の中間周波信号のいずれかであり、前記基準信号の周波数を２０ＭＨｚとし、前記米国のＮＴＳＣ方式の中間周波信号を前記第１のミキサに入力するときには前記基準信号を分周せずに前記第１のミキサに入力し、前記ＰＡＬ方式の中間周波信号を前記第１のミキサに入力するときには前記基準信号を１／２に分周して前記第１のミキサに入力した。
【発明の効果】
【００１２】
請求項１の発明によれば、周波数変換回路の前段には方式の異なるテレビジョンシステムの中間周波信号の何れかが入力される第１のミキサと、第１のミキサと周波数変換回路との間に介挿されたＡＧＣ回路とを設け、周波数が最も高い中間周波信号を周波数変換することなく第１のミキサを介してＡＧＣ回路に入力し、それ以外の中間周波数信号を第１のミキサによって周波数が最も高い中間周波信号とほぼ等しい周波数に変換してＡＧＣ回路に入力したので、方式の異なるテレビジョンシステムの中間周波信号のいずれが入力されても共用が可能なテレビジョン信号送信機が構成できる。
【００１３】
また、請求項２の発明によれば、周波数変換回路に設けられた局部発振信号供給用の発振回路を制御するＰＬＬ回路とＰＬＬ回路に基準信号を供給する基準発振回路とを設け、周波数が最も高い中間周波信号以外の中間周波数信号を第１のミキサによって周波数変換する場合にのみ基準信号をそのまま又は分周して第１のミキサに供給したので、第１のミキサ専用に発振回路を設ける必要がなく、全体の構成を簡単にすることができる。
【００１４】
また、請求項３の発明によれば、第１のミキサに入力される中間周波信号は日本又は米国のＮＴＳＣ方式の中間周波信号又は欧州のＰＡＬ方式の中間周波信号のいずれかであり、基準信号の周波数を２０ＭＨｚとし、米国のＮＴＳＣ方式の中間周波信号を第１のミキサに入力するときには基準信号を分周せずに第１のミキサに入力し、ＰＡＬ方式の中間周波信号を第１のミキサに入力するときには基準信号を１／２に分周して第１のミキサに入力したので、汎用の分周器を追加するだけで上記の３方式のテレビジョンシステムの送信機を構成できる。
【発明を実施するための最良の形態】
【００１５】
本発明のテレビジョン信号送信機を図１に従って説明する。中間周波増幅回路２１には方式の異なるテレビジョンシステムの中間周波信号の何れかが入力される。方式の異なるテレビジョンシステムの代表的なものとしては、例えば、アメリカのＮＴＳＣ方式（映像中間周波数：ｆｐ＝４５．７５ＭＨｚ、音声中間周波数：ｆｓ＝４１．２５ＭＨｚ）、日本のＮＴＳＣ方式（映像中間周波数：ｆｐ＝５８．７５ＭＨｚ、音声中間周波数：ｆｓ＝５４．２５ＭＨｚ）、ドイツのＰＡＬ方式（映像中間周波数：３８．９ＭＨｚ、音声中間周波数ｆｓ＝３３．４ＭＨｚ）である。
【００１６】
これらの中間周波信号は、中間周波増幅回路２１を介して第１のミキサ２２に入力される。第１のミキサ２２は、局部発振信号が入力されたときには周波数変換用として機能し、局部発振信号が入力されないときには単なる増幅回路、あるいは緩衝増幅回路として機能する。この発明においては、周波数が最も高い日本のＮＴＳＣ方式の中間周波信号が入力されたときには第１のミキサ２２には局部発振信号が入力されない。従って第１のミキサ２２からは周波数変換されない中間周波信号が出力される。
【００１７】
また、周波数が低い中間周波信号が入力されたときには、局部発振信号によって高い周波数の中間周波信号（すなわち、日本のＮＴＳＣ方式の中間周波信号）とほぼ同じ程度の周波数に変換される。第１のミキサ２２から出力される中間周波信号を第１の中間周波信号とする。第１の中間周波信号の周波数は、例えば、アメリカのＮＴＳＣ方式では１０ＭＨｚ高く（ｆｐ＝５１．２５ＭＨ、ｆｓ＝５５．７５ＭＨｚ）、ドイツのＰＡＬ方では２０ＭＨｚ高く（ｆｐ＝５３．４ＭＨｚ、ｆｓ＝５８．９ＭＨｚ）なるように変換される。
【００１８】
第１の中間周波信号はバンドパスフィルタ２３を介してＡＧＣ回路（自動利得制御回路）２４に入力される。バンドパスフィルタ２３は変換された第１の中間周波信号の全てが通過するようにほぼ５０〜６０ＭＨｚの通過帯域を有する。ＡＧＣ回路２４はその出力レベルが入力側の第１の中間周波信号のレベル変動に対しても一定となるように自身で制御されるものであり、可変減衰回路２４ａと分岐回路２４ｂとトラップ回路２４ｃと検波回路２４ｄとから構成される。可変減衰回路２４ａは図示しないＰＩＮダイオードによって構成される。
【００１９】
可変減衰回路２４ａから出力される第１の中間周波信号の一部が分岐回路２４ｂによって分岐され、その分岐信号はトラップ回路２４ｃに入力される。トラップ回路２４ｃは分岐信号に含まれる音声中間周波信号の影響をなくすためのものであり、５１．２５ＭＨｚ〜５４．２５ＭＨｚの帯域を減衰する特性を有するように設定される。トラップ回路２４ｃによって音声中間周波信号が除去された後に検波回路２４ｄによって検波される。そして、検波電圧が可変減衰回路２４ａにフィードバックされて出力レベルが一定となるようにＰＩＮダイオードを制御するようになっている。
【００２０】
ＡＧＣ回路２４から出力された第一の中間周波信号は第２のミキサ２５に入力され、第１の発振回路２６から供給される局部発振信号と混合されてほぼ１．１ＧＨｚの第２の中間周波信号に変換される。第２のミキサ２５と第１の発振回路２６とは周波数変換回路を構成する。なお、第１の発振回路２６は第１のＰＬＬ回路２７によって発振周波数が制御される。また、第１のＰＬＬ回路２７には基準発振回路２８から位相比較用の基準信号が供給される。
【００２１】
第２の中間周波信号はバンドパスフィルタ２９を介して第３のミキサ３０に入力され、第２の発振回路３１から供給される局部発振信号と混合されて何れかのチャンネルのテレビジョン信号（アメリカの場合では約５０ＭＨｚから１０００ＭＨｚの間のテレビジョンチャンネルの信号）に変換される。第３のミキサ３０と第２の発振回路３１とは周波数変換回路を構成する。第２の発振回路３１は第２のＰＬＬ回路３２によって発振周波数が制御される。また、第２のＰＬＬ回路３２には基準発振回路２８から位相比較用の基準信号が供給される。
【００２２】
第２のミキサ３０から出力されたテレビジョン信号は出力フィルタ３３に入力される。出力フィルタ３３は複数チャンネル分を通過する帯域を有するバンドパスフィルタが複数個並列に接続されたものであり、出力されるテレビジョン信号の周波数に対応してその中の１つのバンドパスフィルタが選択される。そして、出力増幅回路３４を介して図示しないケーブルに送出される。
【００２３】
上記の基準発振回路２８から出力される基準信号の周波数は、例えば２０ＭＨｚである。この基準信号は第１のミキサ２２の局部発振信号用としても使用される。すなわち、第１のミキサ２２にアメリカのＮＴＳＣ方式の中間周波信号が入力されたときには、基準信号を分周器３５によって１／２に分周して１０ＭＨｚの局部発振信号を第１のミキサ２２に入力する。また、ＰＡＬ方式の中間周波信号が入力されたときには、分周せずに２０ＭＨｚの基準信号をそのまま局部発振信号として供給する。日本のＮＴＳＣ方式の中間周波信号が入力されたときは、局部発振信号は供給されない。これらの局部発振信号は切替手段３６によって切り替えられる。
【００２４】
最近の分周器は小数点以下の分周比を得ることができるので、分周器３５の分周比を１３／２０とすれば、第１のミキサには１３ＭＨｚの局部発振信号を供給できるので、アメリカのＮＴＳＣ方式の中間周波信号は日本の中間周波信号と同じ周波数に変換できるので、トラップ回路２４ｃの設計が容易になる。また、バンドパスフィルタ２３の通過帯域も狭くすることができる。しかし、方式の違いによる第１の中間周波信号における音声中間周波数が２〜３ＭＨｚ程度の違いがあってもトラップ回路２４ｃによってこれを十分に減衰することができる。
【００２５】
以上のように、第１のミキサ２２に入力される中間周波信号が方式によって異なる場合であっても、そこに供給する局部発振信号の周波数を変えてその出力周波数をほぼ同じ程度（即ち、同一のトラップ回路２４ｂで何れの音声中間周波信号も減衰できる程度）になるように変換すれば、方式の異なるシステムにこのテレビジョン信号送信機が共用できる。
【図面の簡単な説明】
【００２６】
【図１】本発明のテレビジョン信号送信機の構成を示す回路図である。
【図２】従来のテレビジョン信号送信機の構成を示す回路図である。
【符号の説明】
【００２７】
２１：中間周波増幅回路
２２：第１のミキサ
２３：バンドパスフィルタ
２４：ＡＧＣ回路
２４ａ：可変減衰回路
２４ｂ：分岐回路
２４ｃ：トラップ回路
２４ｄ：検波回路
２５：第２のミキサ
２６：第１の発振回路
２７：第１のＰＬＬ回路
２８：基準発振回路
２９：バンドパスフィルタ
３０：第３のミキサ
３１：第２の発振回路
３２：第２のＰＬＬ回路
３３：出力フィルタ
３４：出力増幅回路
３５：分周器
３６：切替手段
【図１】
2005311964.tif 000003
【図２】
2005311964.tif 000004